(57)【特許請求の範囲】
【請求項１】
コールド商品の自動販売機などを対象に、冷凍機を搭載した冷蔵機器の冷蔵庫内に生じたドレン水を蒸発処理するためのドレン水処理装置であり、冷蔵庫の下側に画成した機械室内に設置し、圧縮機からの吐出した冷媒を凝縮器にて予備冷却するプリ・クーリングコイル用の冷媒管と該凝縮器を介して冷蔵庫内に導く冷却用の冷媒管を有する冷凍機の凝縮ユニットに並置してその側方に冷蔵庫内に生じたドレン水を導くドレン蒸発皿を配備し、かつ該蒸発皿内には凝縮ユニットの圧縮機吐出口と凝縮器の間に配管した該冷却用の冷媒管をコイル状に巻回した蒸発コイルを敷設するとともに、該蒸発コイルを取り囲んで蒸発皿の中に蒸発マットを起立姿勢に配置したものにおいて、
前記蒸発皿における凝縮ユニットとの対向側であって、凝縮ユニットにおける蒸発皿側と対向側に配管された前記プリ・クーリングコイル用の冷媒管との接触を防ぐマット転倒防止手段を備えたことを特徴とする冷蔵機器のドレン水処理装置。
【請求項２】
請求項１記載のドレン水処理装置において、マット転倒防止手段として、蒸発マットに並置して蒸発皿の側部に柵状のガードアームを植設したこと特徴とする冷蔵機器のドレン水処理装置。
【請求項３】
請求項１記載のドレン水処理装置において、マット転倒防止手段として、蒸発マットに並置して蒸発皿の側縁から上方に延在するガードフエンスを設けたことを特徴とする冷蔵機器のドレン水処理装置。
【発明の詳細な説明】
【０００１】
【発明の属する技術分野】
本発明は、缶飲料（コールド商品）を販売する冷凍機内蔵形の自動販売機などを実施対象に、その冷蔵庫内に生じたドレン水を蒸発処理するためのドレン水処理装置に関する。
【０００２】
【従来の技術】
まず、本発明の実施対象となる缶飲料自動販売機の構成を図３に、該自動販売機に装備したドレン水処理装置の従来構造を図４，図５に示す。
図３において、１は自動販売機の本体ケース、２は前面外扉、３は断熱内扉、４は本体ケース１の庫内に収設した商品収納ラックであり、図示されてないが本体ケース１の庫内底部には冷却器（冷凍機のエバポレータ），庫内ファンを備えている。また、本体ケース１の下部に画成した機械室５には冷凍機の凝縮ユニット６と並置して図４，図５に詳細構造を示すドレン水処理装置７が設置されている。なお、自動販売機の商品販売動作については周知であり、ここではその説明を省略する。
【０００３】
また、図４，図５において、冷凍機の凝縮ユニット６は、圧縮機６ａ，凝縮器６ｂ，庫外ファン６ｃなどの機器を基台６ｄの上に搭載して構成されており、圧縮機６ａと凝縮器６ｂとの間には圧縮機から吐出した高温，高圧の冷媒を凝縮器に導く吐出側の冷媒管６ｅ，６ｆが配管されている。なお、冷媒管６ｆはプリ・クーリングコイル用の冷媒管である。
【０００４】
一方、ドレン水処理装置７は、前記凝縮ユニット６に並置して基台６ｄの側方に配置したドレン水蒸発皿８と、前記冷媒管６ｅの途中部分をコイル状に巻回して蒸発皿８の内部に敷設した蒸発コイル６ｇと、該蒸発コイル６ｇを取り囲んで皿の中に起立姿勢に立てた蒸発マット９とから構成されており、冷却器を配した本体ケース１の商品収納庫内に生じたドレン水が庫内底面からドレンホースを介して蒸発皿８に導かれる。
【０００５】
ここで、蒸発マット９は蒸発皿８に溜まったドレン水を吸い上げて蒸発を促進するウイックの機能を持たせたもので、合成繊維などでベルト状に編んだ吸水性のあるマット，あるいはスポンジ状のマットであり、その下端部をドレン水中に浸漬させて前記の蒸発コイル６ｇを囲むように起立姿勢に立てて配置されている。なお、蒸発マット９は長期使用の間に塵埃などで汚損されるので、定期点検時などには蒸発皿８から取り外して洗浄するが、あるいは新しい蒸発マットに取り替えるようにしており、その際のメンテナンス作業の簡便性を考慮して着脱自在にセットされている。
【０００６】
かかる構成で、保冷運転中に冷蔵庫（自動販売機の商品収納庫）内に生じた結露水，あるいは冷却器の除霜に伴って生じた除霜水などのドレン水は庫内から前記蒸発皿８に排出されて皿内に溜まる。ここで、冷凍機の運転時に前記蒸発コイル６ｇを流れる高温の冷媒ガスとの熱交換により蒸発皿内に溜まっているドレン水が加熱昇温するとともに、ドレン水は蒸発マット９に吸い上げられ、機械室（図３参照）の中を通風する冷却風によりマットの表面から蒸発して周囲に放散される。
【０００７】
【発明が解決しようとする課題】
ところで、前記した従来構成のドレン水処理装置では、長期間に亘る冷蔵機器（自動販売機）の運転により次記のような不測のトラブルを引き起こすことがある。
すなわち、冷凍機の運転時には凝縮ユニット６の圧縮機６ａ，庫外ファン６ｃなどから生じる機械的な振動が周囲に伝搬し、これが基で先記した冷媒管６ｅ，６ｆ，蒸発コイル６ｇ，および蒸発皿８，蒸発マット９などが振動する。一方、蒸発マット９は先記のようにメンテナンス作業の簡便性を考慮して着脱自在にセットされており、例えば自動販売機をロケーション先に運ぶ際，あるいは据付け先で自動販売機の本体ケースに物が当たった際の衝撃で図６に示すように起立姿勢（実腺）の蒸発マット９が鎖線で表すように転倒して姿勢が傾き、マットの上部が蒸発皿８の側方に配管されている冷媒管（銅パイプ製）６ｅ，６ｆへ寄り掛かって触れ合うようになることがある。
【０００８】
このような蒸発マット９の転倒を知らずにこの状態を放置しておくと、凝縮ユニット６の振動によって銅パイプ製の冷媒管と蒸発マットが連続して繰り返し擦れ合い、その結果として長い運転期間の間には銅パイプの表面が次第に磨耗して侵食され、遂にはパイプに穴が開いて冷媒漏れが生じるような不測なトラブルに進展する。
【０００９】
本発明は上記の点にかんがみなされたものであり、その目的は前記課題を解決し、使用中に蒸発マットの起立姿勢が傾いた場合でも、蒸発皿の近傍に配管されている冷凍機の凝縮ユニットの冷媒管に蒸発マットが接触するのを阻止し、振動による蒸発マットとの擦れ合いで冷媒管に穴が開くといった不測なトラブルを未然に防ぐような安全策を講じたドレン水処理装置を提供することにある。
【００１０】
【課題を解決するための手段】
上記目的を達成するために、本発明によれば、蒸発皿に蒸発マットを支えて蒸発皿の側方に配管されているプリ・クーリングコイル用の冷媒管との接触を防ぐマット転倒防止手段を備えるものとし、具体的には次記のような態様で構成するものとする。
１）マット転倒防止手段として、蒸発マットに並置して蒸発皿の側部に柵状のガードアームを植設する。
【００１１】
２）マット転倒防止手段として、蒸発マットに並置して蒸発皿の側縁から上方に延在するガードフエンスを設ける。
上記の構成によれば、使用中に蒸発皿内に立てた蒸発マットの姿勢が傾いた場合でも、マット転動防止手段のガードアーム，もしくはガードフェンスに支えられてそれ以上には傾かず、したがって蒸発皿の側方に配管されている冷媒管に触れて擦り合うことか回避される。これにより、長期運転の間に冷媒管に穴が開くといった不測なトラブルの発生を未然に防ぐことができる。
【００１２】
【発明の実施の形態】
以下、本発明の実施例を図面に基づいて説明する。なお、各実施例の図中で図５，図６に対応する同一部材には同じ符号が付してある。
〔実施例１〕
図１(a),(b) は本発明の請求項２に対応する実施例を示すものであり、蒸発皿８に対して冷凍機の凝縮ユニット６と対向する側の縁部には、蒸発皿の中に起立姿勢に立てた蒸発マット９と蒸発皿８の側方に配管されている凝縮ユニット６の冷媒管６ｆとの間を仕切るように、マット転倒防止手段として蒸発皿８から上方に起立するガードアーム１０が設置されている。このガードアーム１０は逆Ｕ字形に屈曲した棒材で作られたもので、その左右先端を蒸発皿８の底面に形成したボス部８ａに差し込んで定姿勢に固定支持されている。
【００１３】
かかる構成により、冷蔵機器（自動販売機）の稼働中に蒸発皿８の中に立てた蒸発マット９が外部からの衝撃などによって起立姿勢（実腺）から矢印方向に倒れ込んで鎖線で表すように凝縮ユニット６の方に傾いても、蒸発マット９は前記のガードアーム１０に支えられてこの位置に停止し、それ以上に傾斜姿勢が深まることがない。これにより、蒸発マット９が蒸発皿８の側方に配管されている冷媒管６ｆに触れたり、凝縮ユニット６の振動が基で擦り合ったりすることがなく、その結果として冷媒管の銅パイプが蒸発マット９との擦れ合いによって長期間の間に磨耗し、パイプに穴が開いて冷媒漏れを生じるといった不測なトラブルを未然に回避できる。
【００１４】
〔実施例２〕
図２(a),(b) は本発明の請求項３に対応する実施例を示すものであり、この実施例においては、先記実施例１のガードアーム１０に代えて、マット転倒防止手段として蒸発皿８の側縁（凝縮ユニット６に対向する側）に上方に延在するガードフェンス８ｂが蒸発皿と一体に形成されている。なお、このガードフェンスは蒸発皿８と別部品で作り、蒸発皿に固定することもできる。
【００１５】
かかる構成によれば、実施例１と同様に蒸発マット９の転倒による凝縮ユニット６の冷媒管との接触，擦れ合いを防止して冷媒管を安全に保護することができる。
【００１６】
【発明の効果】
以上述べたように、本発明の構成によれば、蒸発皿に蒸発マットが転倒して蒸発皿近傍に配管した冷凍機の凝縮ユニットにおけるプリ・クーリングコイル用の冷媒管と触れ合うのを阻止するマット転倒防止手段を設けたことにより、使用中に蒸発皿内に立てた蒸発マットの姿勢が傾いた場合でも、マット転動防止手段のガードアーム，もしくはガードフェンスに支えられてそれ以上には傾かず、したがって蒸発皿の側方に配管されている冷媒管に触れて擦り合うことか回避される。これにより、長期運転の間に冷媒管に穴が開くといった不測なトラブルの発生を未然に防ぐことができて信頼性の向上が図れる。
【図面の簡単な説明】
【図１】本発明の実施例１に対応する構成図であり、(a) は蒸発皿の斜視部、(b) はドレン水処理装置の使用状態を表す側面図
【図２】本発明の実施例２に対応する構成図であり、(a) は蒸発皿の斜視部、(b) はドレン水処理装置の使用状態を表す側面図
【図３】ドレン水処理装置を装備した冷凍機内蔵形自動販売機の外観図
【図４】図３の自動販売機に装備した冷凍機の凝縮ユニット、およびドレン水処理装置の従来構造を表す平面図
【図５】図４における要部の斜視図
【図６】図５のドレン水処理装置の使用状態を表す側面図
【符号の説明】
６    冷凍機の凝縮ユニット
６ａ  圧縮機
６ｂ  凝縮器
６ｅ，６ｆ  冷媒管
６ｇ  蒸発コイル
７    ドレン水処理装置
８    蒸発皿
８ｂ  ガードフェンス（マット転倒防止手段）
９    蒸発マット
１０    ガードアーム（マット転倒防止手段）
【図１】
0003707150.tif 000002
【図２】
0003707150.tif 000003
【図３】
0003707150.tif 000004
【図４】
0003707150.tif 000005
【図５】
0003707150.tif 000006
【図６】
0003707150.tif 000007